(57)【要約】【課題】ケース内に侵入した水を原因とする電気的な不具合の発生を抑制することのできる駆動装置を提供すること。【解決手段】駆動装置１は、前面部２６に開口部２６０が設けられたケース２と、ケース２の内部から開口部２６０を介して一部がケース２の外側に突出する出力部材６とを有している。ケース２では、ケース２の内部を、電気部４が纏めて設けられた第１空間１１と伝達機構５が纏めて設けられた第２空間１２とを仕切る仕切り壁２３が上下方向に延在している。また、ケース２には、ケース２の上面部２８と第１空間１１との間で第１空間１１の上方を覆う防水壁２４が設けられている。このため、ケース２の開口部２６０やケース２の上面部２８の境目２５からケース２の内部に水が侵入した場合でも、水は、防水壁２４を伝って第１空間１１（電気部４）から第２空間１２（伝達機構５）の側に落下し、第１空間１１に落下しにくい。【選択図】図３
2018025339.tif 000002
【特許請求の範囲】
【請求項１】
前面部に開口部が設けられたケースと、
前記ケースの内部から前記開口部を介して一部が前記ケースの外側に突出する出力部材と、
モータを含み、前記ケースの内部の第１空間に設けられた電気部と、
前記モータの回転を前記出力部材に伝達する歯車を含み、前記ケースの内部で前記第１空間と前後方向または左右方向で隣り合う第２空間に設けられた伝達機構と、
を有し、
前記ケースは、上下方向に延在して前記第１空間と前記第２空間とを仕切る仕切り壁と、前記ケースの上面部と前記第１空間との間で前記第１空間の上方を覆う防水壁と、を有していることを特徴とする駆動装置。
【請求項２】
前記第２空間は、前記第１空間に対して前側で隣り合っていることを特徴とする請求項１に記載の駆動装置。
【請求項３】
前記ケースは、第１ケース部材と、前記第１ケース部材との間に前記第１空間および前記第２空間を形成する第２ケース部材と、を有し、
前記ケースの少なくとも前記上面部に前記第１ケース部材と前記第２ケース部材との境目が存在することを特徴とする請求項１または２に記載の駆動装置。
【請求項４】
前記防水壁は、前記第１ケース部材から前記第２ケース部材に向けて突出した第１壁部と、前記第２ケース部材から前記第１ケース部材に向けて突出した第２壁部と、を含んでいることを特徴とする請求項３に記載の駆動装置。
【請求項５】
前記第１壁部と前記第２壁部とは、一部が上下方向で重なっていることを特徴とする請求項４に記載の駆動装置。
【請求項６】
前記防水壁の上面は、前記第２空間とは反対側から前記第２空間の側に向けて斜め下方に傾斜していることを特徴とする請求項１から５までのいずれか一項に記載の駆動装置。
【請求項７】
前記ケースには、前記第２空間の下方に水抜き用の穴が設けられていることを特徴とする請求項１から６までのいずれか一項に記載の駆動装置。
【請求項８】
前記出力部材は、前記防水壁の上方で延在する軸状部を備えていることを特徴とする請求項１から７までのいずれか一項に記載の駆動装置。
【請求項９】
前記出力部材は、冷蔵庫内に配置された引き出しを開方向に駆動する部材である請求項１から８までのいずれか一項に記載の駆動装置。
【発明の詳細な説明】
【技術分野】
【０００１】
本発明は、冷蔵庫において引き出しの開閉等に用いられる駆動装置に関するものである。
【背景技術】
【０００２】
冷蔵庫に用いられた引き出しや扉については、隙間から冷気が漏れることを防止するため、マグネットによる吸着を利用して引き出しや扉を冷蔵庫本体に吸着させて密閉状態とすることがある。この場合、引き出しや扉を閉位置から開位置に移動させ始める際に、
大きな力を必要とする。そこで、引き出しを閉位置から開位置に移動させる動作を補助する駆動装置が提案されており、かかる駆動装置では、モータ、モータの回転を伝達する伝達機構、および伝達機構を介して伝達されたモータの駆動力によって駆動される出力部材が設けられている。また、出力部材の少なくとも一部、モータ、および伝達機構はケースに収容されている（特許文献１参照）。
【先行技術文献】
【特許文献】
【０００３】
【特許文献１】特開平１１−２０１６３１号公報
【発明の概要】
【発明が解決しようとする課題】
【０００４】
特許文献１に記載の駆動装置では、出力部材を外側に突出させる開口部やケースの上面部からケースの内部に水が侵入するおそれがあり、かかる水の侵入は、モータ等電機系統の部品に短絡等の電気的な不具合を発生させるおそれがある。
【０００５】
以上の問題点に鑑みて、本発明の課題は、ケース内に侵入した水を原因とする電気的な不具合の発生を抑制することのできる駆動装置を提供することにある。
【課題を解決するための手段】
【０００６】
上記問題を解決するために、本発明に係る駆動装置は、前面部に開口部が設けられたケースと、前記ケースの内部から前記開口部を介して一部が前記ケースの外側に突出する出力部材と、モータを含み、前記ケースの内部の第１空間に設けられた電気部と、前記モータの回転を前記出力部材に伝達する歯車を含み、前記ケースの内部で前記第１空間と前後方向または左右方向で隣り合う第２空間に設けられた伝達機構と、を有し、前記ケースは、上下方向に延在して前記第１空間と前記第２空間とを仕切る仕切り壁と、前記ケースの上面部と前記第１空間との間で前記第１空間の上方を覆う防水壁と、を有していることを特徴とする。
【０００７】
本発明では、ケースの内部のうち、第１空間にモータを含む電気部が纏めて設けられ、ケースの内部で第１空間と前後方向または左右方向で隣り合う第２空間に伝達機構が纏めて設けられており、ケースの上面部と第１空間との間には、電気部が配置された第１空間の上方を覆う防水壁が設けられている。このため、ケースの前面部に設けられた開口部やケースの上面部からケースの内部に水が侵入した場合でも、水は、防水壁を伝って第１空間（電気部）から第２空間（伝達機構）の側に落下し、第１空間に落下しにくい。また、第１空間と第２空間との間に仕切り壁が設けられているため、第２空間に落下した水が第１空間に移動しにくい。従って、ケース内に侵入した水を原因とする電気的な不具合の発生を抑制することができる。また、第１空間にモータを含む電気部が纏めて設けられ、ケースの内部で第１空間と前後方向または左右方向で隣り合う第２空間に伝達機構が纏めて
設けられているため、防水壁によって電気部を水から保護するのが容易である。
【０００８】
本発明において、前記第２空間は、前記第１空間に対して前側で隣り合っている態様を採用することができる。かかる態様によれば、ケースの前面部に設けた開口部から突出する出力部材を伝ってケースの内部に水が侵入した場合でも、侵入した水が前方の第２空間に落下しやすく、後方の第１空間に到達しにくい。従って、ケース内に侵入した水を原因とする電気的な不具合の発生を抑制することができる。
【０００９】
本発明において、前記ケースは、第１ケース部材と、前記第１ケース部材との間に前記第１空間および前記第２空間を形成する第２ケース部材と、を有し、前記ケースの少なくとも前記上面部に前記第１ケース部材と前記第２ケース部材との境目が存在する態様を採用することができる。かかる態様の場合、ケースの上面部からケースの内部に水が侵入やすいが、この場合でも、水は、防水壁を伝って第１空間（電気部）から第２空間（伝達機構）の側に落下し、第１空間に落下しにくい。従って、ケース内に侵入した水を原因とする電気的な不具合が発生しにくい。
【００１０】
本発明において、前記防水壁は、前記第１ケース部材から前記第２ケース部材に向けて突出した第１壁部と、前記第２ケース部材から前記第１ケース部材に向けて突出した第２壁部と、を含んでいる態様を採用することができる。かかる態様によれば、ケース内に侵入した水が第１ケース部材を伝って落下しようとした場合でも、第１壁部によって水を受けることができる。また、ケース内に侵入した水が第２ケース部材を伝って落下しようとした場合でも、第２壁部によって水を受けることができる。従って、少なくとも、第１空間のうち、第１壁部および第２壁部が形成されている部分に水が落下することを抑制することができる。
【００１１】
本発明において、前記第１壁部と前記第２壁部とは、一部が上下方向で重なっている態様を採用することができる。かかる態様によれば、第１壁部と第２壁部との間から水が落下しにくい。
【００１２】
本発明において、前記防水壁の上面は、前記第２空間とは反対側から前記第２空間の側に向けて斜め下方に傾斜している態様を採用することができる。かかる態様によれば、ケース内に侵入した水が防水壁を伝って第２空間の側に移動しやすい。従って、第１空間に水が落下しにくいので、ケース内に侵入した水を原因とする電気的な不具合が発生しにくい。
【００１３】
本発明において、前記ケースには、前記第２空間の下方に水抜き用の穴が設けられている態様を採用することができる。かかる態様によれば、第２空間に落下した水を水抜き用の穴から排出することができるので、伝達機構では、ケース内に侵入した水を原因とする不具合が発生しにくい。
【００１４】
本発明において、前記出力部材は、前記防水壁の上方で延在する軸状部を備えている態様を採用することができる。かかる態様の場合、出力部材を伝って第１空間の上部に水が侵入やすいが、この場合でも、水は、防水壁を伝って第１空間（電気部）から第２空間（伝達機構）の側に落下し、第１空間に落下しにくい。従って、ケース内に侵入した水を原因とする電気的な不具合が発生しにくい。
【発明の効果】
【００１５】
本発明では、ケースの内部のうち、第１空間にモータを含む電気部が纏めて設けられ、ケースの内部で第１空間と前後方向または左右方向で隣り合う第２空間に伝達機構が纏めて設けられており、ケースの上面部と第１空間との間には、電気部が配置された第１空間
の上方を覆う防水壁が設けられている。このため、ケースの前面部に設けられた開口部やケースの上面部からケースの内部に水が侵入した場合でも、水は、防水壁を伝って第１空間（電気部）から第２空間（伝達機構）の側に落下し、第１空間に落下しにくい。また、第１空間と第２空間との間に仕切り壁が設けられているため、第２空間に落下した水が第１空間に移動しにくい。従って、ケース内に侵入した水を原因とする電気的な不具合の発生を抑制することができる。また、第１空間にモータを含む電気部が纏めて設けられ、ケースの内部で第１空間と前後方向または左右方向で隣り合う第２空間に伝達機構が纏めて設けられているため、防水壁によって電気部を水から保護するのが容易である。
【図面の簡単な説明】
【００１６】
【図１】本発明の実施の形態１に係る駆動装置を冷蔵庫に搭載した場合の一例を示す説明図である。
【図２】本発明の実施の形態１に係る駆動装置の斜視図である。
【図３】図２に示す駆動装置から第２ケース部材を外した状態を左斜め上方からみた斜視図である。
【図４】図２に示す駆動装置から第２ケース部材を外した状態を右斜め上方からみた斜視図である。
【図５】図２に示す駆動装置を第２ケース部材を省略した状態で示す左側面部である。
【図６】図２に示す駆動装置において、伝達機構等を左斜め上方からみた斜視図である。
【図７】図６に示す伝達機構からスイッチ部材を外した状態の斜視図である。
【図８】図２に示す駆動装置のケースの断面図である。
【図９】本発明の実施の形態２に係る駆動装置において、第２ケース部材を外した状態を左斜め上方からみた斜視図である。
【図１０】図９に示す駆動装置において、伝達機構等を左斜め上方からみた斜視図である。
【発明を実施するための形態】
【００１７】
図面を参照して、本発明を実施するための形態を説明する。なお、以下の説明においては、駆動装置１として、冷蔵庫の引き出しを閉状態から開状態に移動させ始める際に引き出しを開方向の途中位置まで駆動する装置を中心に説明する。以下の説明において、左右方向（第１方向）にＸを付し、前後方向（第２方向）にＹを付し、上下方向（第３方向）にＺを付して説明する。また、左右方向Ｘでは左側（一方側）にＸ１を付し、右側（他方側）にＸ２を付し、前後方向Ｙでは、後側（一方側）にＹ１を付し、前側（他方側）にＹ２を付し、上下方向Ｚでは、下側（一方側）にＺ１を付し、上側（他方側）にＺ２を付してある。
【００１８】
［実施の形態１］
（駆動装置１の使用例）
図１は、本発明の実施の形態１に係る駆動装置１を冷蔵庫に搭載した場合の一例を示す説明図である。図１に示すように、冷蔵庫１００の筐体１１０の内部において、上部には冷蔵室１２０が設けられ、冷蔵室１２０の前方には扉１３０が設けられている。冷蔵室１２０の下段には冷凍用の引き出し１４０が設けられ、冷凍用の引き出し１４０の下段には野菜室用の引き出し１５０が設けられている。引き出し１４０、１５０は筐体１１０に設けたレール（図示せず）に支持されている。
【００１９】
このように構成した冷蔵庫１００において、引き出し１４０、１５０は、閉状態では、磁石を用いた吸着機構等によって筐体１１０に吸着されている。このため、引き出し１４０、１５０を引き出して開状態とするには、吸着機構に抗する大きな力が必要である。そこで、本形態では、引き出し１４０、１５０と筐体１１０との間に駆動装置１（冷蔵庫用
駆動装置）が設けられており、所定のスイッチ操作を行った際、駆動装置１が引き出し１４０、１５０を開方向に駆動し、引き出し１４０、１５０を筐体１１０から離間させる。従って、利用者は、吸着機構が効かない状態で引き出し１４０、１５０を開方向に引き出すことができるので、大きな力を必要としない。
【００２０】
（駆動装置１の構成）
図２は、本発明の実施の形態１に係る駆動装置１の斜視図である。図３は、図２に示す駆動装置１から第２ケース部材２２を外した状態を左斜め上方からみた斜視図である。図４は、図２に示す駆動装置１から第２ケース部材２２を外した状態を右斜め上方からみた斜視図である。図５は、図２に示す駆動装置１を第２ケース部材２２を省略した状態で示す左側面部である。図６は、図２に示す駆動装置１において、伝達機構等を左斜め上方からみた斜視図である。図７は、図６に示す伝達機構からスイッチ部材８を外した状態の斜視図である。
【００２１】
図２、図３および図４に示すように、駆動装置１は、左右方向Ｘの寸法が前後方向Ｙの寸法および上下方向Ｚの寸法より小さい直方体形状のケース２を有しており、ケース２の前面部２６に形成された開口部２６０からは出力部材６の前端部６１が突出している。出力部材６は、さらに前方に突出した際、図１に示す引き出し１４０、１５０を前方に引き出す。ケース２の後面部２７からはケーブル７５が引き出されている。
【００２２】
本形態において、ケース２は、右側Ｘ２の第１ケース部材２１と、第１ケース部材２１に重なる左側Ｘ１の第２ケース部材２２とからなる。第１ケース部材２１は、四角形の側板部２１１と、側板部２１１の各辺に相当する端部から第２ケース部材２２に向けて屈曲した４つの板部（前板部２１６、後板部２１７、上板部２１８、下板部２１９）とを備えている。また、第２ケース部材２２は、四角形の側板部２２１と、側板部２２１の各辺に相当する端部から第１ケース部材２１に向けて屈曲した４つの板部（前板部２２６、後板部２２７、上板部２２８、下板部２２９）とを備えている。
【００２３】
ケース２の前面部２６、後面部２７、上面部２８および下面部２９には、第１ケース部材２１と第２ケース部材２２との境目２５が存在する。本形態において、前板部２１６、後板部２１７、上板部２１８および下板部２１９の高さ寸法（Ｘ方向の寸法）は、前板部２２６、後板部２２７、上板部２２８および下板部２２９の高さ寸法（Ｘ方向の寸法）より大である。従って、境目２５は、左右方向Ｘの中心から左側Ｘ１に偏った位置にある。
【００２４】
第２ケース部材２２には、先端側に係合穴が形成されたフック２２５が複数形成されている一方、第１ケース部材２１には、フック２２５と係合する係合凸部２１５が複数形成されている。従って、第１ケース部材２１と第２ケース部材２２とは、係合凸部２１５とフック２２５とによって結合されている。
【００２５】
図２、図３、図４および図５に示すように駆動装置１において、ケース２の内部は、上下方向に延在する板状の仕切り壁２３によって仕切られており、仕切り壁２３の後方に第１空間１１が区画形成され、仕切り壁２３の前方に第２空間１２が区画されている。本形態において、仕切り壁２３は、第１ケース部材２１の側板部２１１に、第２ケース部材２２の側板部２２１に向けて突出するように形成されている。
【００２６】
ケース２の内部において、第１空間１１には、電子部品７１およびタクトスイッチ７０が実装された基板７と、基板７に搭載されたモータ４０とを含む電気部４が纏めて設けられており、モータ４０は、出力軸４１を前方に向けて配置されている。本形態において、基板７は、第１空間１１における後側Ｙ１において上下方向Ｚに延在するように配置され、モータ４０は、第１空間１１における前側Ｙ２かつ下側Ｚ１に配置されている。基板７
には、ケーブル７５が接続されており、ケーブル７５はケース２から後側Ｙ１に引き出されている。第２空間１２には、モータ４０の回転を出力部材６に伝達する歯車を含む伝達機構５が纏めて設けられている。モータ４０の出力軸４１は、仕切り壁２３に形成された切欠き２３０を貫通して第２空間１２に向けて突出し、第２空間１２には、出力軸４１に取り付けられたウォーム４５が設けられている。
【００２７】
図３、図５、図６および図７に示すように、伝達機構５は、第１歯車５１、第２歯車５２および第３歯車５３からなり、第１歯車５１、第２歯車５２および第３歯車５３は各々、第１ケース部材２１に形成された３つの軸部（図示せず）に回転可能に支持されている。第１歯車５１は、ウォーム４５と噛み合うヘリカルギア５１１と、ヘリカルギア５１１と一体に回転する歯車５１２とを備えており、ヘリカルギア５１１と歯車５１２との間にはクラッチ機構５５が構成されている。第２歯車５２は、歯車５１２と噛み合う歯車５２１と、歯車５２１と一体に形成された歯車５２２とを備えており、歯車５２１は、歯車５２２より大径である。第３歯車５３は、歯車５２２と噛み合う歯車５３１と、歯車５３１と一体に形成された歯車５３２とを備えており、歯車５３１は、歯車５３２より大径である。ここで、ウォーム４５、第１歯車５１、第２歯車５２および第３歯車５３は樹脂製である。
【００２８】
出力部材６は、第１空間１１および第２空間１２の上方で前後方向Ｙに延在する樹脂製の棒状部材であり、第１ケース部材２１に形成されたガイド（図示せず）によって前後方向Ｙに移動可能に支持されている。本形態において、出力部材６は、第１空間１１および第２空間１２の上方で前後方向Ｙに延在する軸状部６０と、軸状部６０の前側Ｙ２に円柱状に形成された前端部６１とを有しており、軸状部６０の下面には、歯車５３２と噛み合うラック６５が形成されている。このため、モータ４０が回転した際、モータ４０の回転が伝達機構５によって伝達されるので、出力部材６は、歯車５３２およびラック６５により構成されたラックピニオン機構によって前後方向Ｙに駆動される。
【００２９】
基板７の前面にはタクトスイッチ７０が搭載されている。タクトスイッチ７０の前側Ｙ２には、第１空間１１と出力部材６との間を通って第２空間１２まで延在した樹脂製のスイッチ部材８が配置されている。スイッチ部材８は、第１ケース部材２１によって前後方向Ｙに移動可能に配置されている。スイッチ部材８は、第１空間１１の上方に位置する軸部８６と、軸部８６の前端側に形成された板状部８７とを有しており、板状部８７には、第３歯車５３の回転中心部５３４が内側に位置する穴８１が形成されている。また、板状部８７には、穴８１の前側Ｙ２にカム面８２が形成されている。スイッチ部材８は、穴８８が形成されている部分に配置されたコイルバネからなる付勢部材８５によって後側Ｙ１に付勢されている。
【００３０】
第３歯車５３の回転中心部５３４の周方向の１個所には径方向外側に突出したカム用の凸部５３５（図７参照）が形成されている。従って、第３歯車５３が回転して凸部５３５がカム面８２を前方に押圧した際には、スイッチ部材８が前側Ｙ２に移動し、タクトスイッチ７０から離間する。これに対して、凸部５３５によるカム面８２の押圧が停止すると、スイッチ部材８は、付勢部材８５の付勢力によって後側Ｙ１に移動してタクトスイッチ７０を押圧する。従って、タクトスイッチ７０から出力された信号に基づいて、モータ４０を制御すれば、出力部材６の前後方向Ｙの位置を制御することができる。
【００３１】
（電気的な不具合対策）
図８は、図２に示す駆動装置１のケース２の断面図であり、図８（ａ）、（ｂ）は、図５のＡ−Ａ′線で示す位置でケース２を切断したときの断面図、および図３のＢ−Ｂ′線で示す位置でケース２を切断したときの断面図である。なお、図８では、ケース２の内部に配置された部材の図示を省略してある。
【００３２】
本形態の駆動装置１において、ケース２の上面部２８には、第１ケース部材２１と第２ケース部材２２との境目２５が存在し、ケース２の前面部２６には、出力部材６の前端部６１を突出させる開口部２６０が形成されている。このため、駆動装置１を冷蔵庫１００に搭載した場合、冷蔵庫１００の内部を清掃する際や、冷蔵庫１００の内部で水を溢した際、水が境目２５や開口部２６０からケース２の内部に侵入し、短絡等の電気的な不具合が発生するおそれがある。また、侵入した水によって電気部４で腐食が起こり、電気的な不具合が発生することもある。
【００３３】
そこで、本形態では、図３、図５および図６に示すように、第１ケース部材２１に形成された仕切り壁２３によって、電気部４が配置された第１空間１１と、伝達機構５が配置された第２空間１２とを上下方向Ｚに延在する仕切り壁２３によって仕切るとともに、ケース２には、第１空間１１の上方を覆う防水壁２４が形成されている。本形態において、防水壁２４は、出力部材６の軸状部６０とスイッチ部材８の軸部８６との間において、第１空間１１全体を覆うとともに、第２空間１２の前後方向の一部（後側Ｙ１の部分）を覆っている。
【００３４】
ここで、防水壁２４は、第１ケース部材２１の側板部２１１から第２ケース部材２２の側板部２２１に向けて突出した第１壁部２１２と、第２ケース部材２２の側板部２２１から第１ケース部材２１の側板部２１１に向けて突出した第２壁部２２２（図４参照）とからなる。本形態において、第１壁部２１２および第２壁部２２２はいずれも板状凸部からなる。
【００３５】
第１壁部２１２は、後板部２１７から基板７の上方まで形成された第１板部２１２ａと、第１板部２１２ａの前側Ｙ２の端部で下方に屈曲した後、第２空間１２の上方まで延在する第２板部２１２ｂとを備えている。第２壁部２２２は、後板部２２７から基板７の上方まで形成されている。
【００３６】
ここで、第１壁部２１２と第２壁部２２２とは、一部が上下方向Ｚで重なっている。より具体的には、図８（ａ）に示すように、第２壁部２２２は、第１壁部２１２の第１板部２１２ａに対して下側から重なるように形成されている。但し、図８（ｂ）に示すように、第２壁部２２２は、第１壁部２１２の第２板部２１２ｂに対して下側から重なる位置までは形成されていない。なお、第１空間１１には、モータ４０と防水壁２４との間（モータ４０とスイッチ部材８との間）に、モータ４０を覆う板状部２４０が形成されている。
【００３７】
（本形態の主な効果）
以上説明したように、本形態の駆動装置１において、ケース２は、上下方向に延在して第１空間１１と第２空間１２とを仕切る仕切り壁２３と、ケース２の上面部２８と第１空間１１との間で第１空間１１の上方を覆う防水壁２４とを有している。また、第１空間１１には電気部４が纏めて設けられ、第２空間１２に伝達機構５が纏めて設けられている。このため、ケース２の前面部２６に設けられた開口部２６０やケース２の上面部２８の境目２５等からケース２の内部に水が侵入した場合でも、水は、防水壁２４を伝って第１空間１１（電気部４）の側から第２空間１２（伝達機構）の側に落下し、第１空間１１に落下しにくい。また、第１空間１１と第２空間１２との間に仕切り壁２３が設けられているため、伝達機構５が動作しても、第２空間１２に落下した水が第１空間１１に移動しにくい。従って、ケース２内に侵入した水を原因とする電気的な不具合の発生を抑制することができる。また、第１空間１１にモータ４０を含む電気部４が纏めて設けられ、第２空間１２に伝達機構５が纏めて設けられているため、防水壁２４によって電気部４を水から保護するのが容易である。
【００３８】
また、第２空間１２は、第１空間１１に前側で隣り合っているため、ケース２の前面部２６に設けた開口部２６０から突出する出力部材６を伝ってケース２の内部に水が侵入した場合でも、侵入した水が前方の第２空間１２に落下しやすく、後方の第１空間１１に到達しにくい。従って、ケース２内に侵入した水を原因とする電気的な不具合の発生を抑制することができる。
【００３９】
また、本形態では、出力部材６が第１空間１１の上方で延在する軸状部６０を備えているため、出力部材６を伝って第１空間１１の上部に水が侵入しやすいが、この場合でも、第１空間１１の上方には防水壁２４が設けられているため、ケース２内に侵入した水が第１空間１１に落下しにくい。また、第１空間１１には、モータ４０と防水壁２４との間（モータ４０とスイッチ部材８との間）に、モータ４０を覆う板状部２４０が形成されているため、第１空間１１に水が落下した場合でも、モータ４０を水から保護することができる。
【００４０】
また、防水壁２４は、第１ケース部材２１から第２ケース部材２２に向けて突出した第１壁部２１２と、第２ケース部材２２から第１ケース部材２１に向けて突出した第２壁部２２２とを含んでいる。このため、ケース２内に侵入した水が第１ケース部材２１を伝って落下しようとした場合でも、第１壁部２１２によって水を受けることができる。また、ケース２内に侵入した水が第２ケース部材２２を伝って落下しようとした場合でも、第２壁部２２２によって水を受けることができる。従って、少なくとも、第１空間１１のうち、第１壁部２１２および第２壁部２２２が形成されている部分に水が落下することを抑制することができる。本形態では、第１空間１１のうち、基板７が配置されている位置の上方に第１壁部２１２および第２壁部２２２が形成されている。従って、基板７に向けて水が落下することを抑制することができる。また、第１壁部２１２と第２壁部２２２とは、一部が上下方向で重なっているため、第１壁部２１２と第２壁部２２２との間には、左右方向で離間する隙間がないことから、基板７に向けて水が落下しにくい。
【００４１】
［実施の形態２］
図９は、本発明の実施の形態２に係る駆動装置１において、第２ケース部材２２を外した状態を左斜め上方からみた斜視図である。図１０は、図９に示す駆動装置１において、伝達機構等を左斜め上方からみた斜視図である。なお、本形態の基本的な構成は実施の形態１と同様であるため、共通する部分には同一の符号を付してそれらの説明を省略する。
【００４２】
実施の形態１では、図３に示すように、防水壁２４では、後板部２１７から基板７の上方まで形成された第１板部２１２ａと、第１板部２１２ａの前側Ｙ２の端部で下方に屈曲した後、第２空間１２の上方まで延在する第２板部２１２ｂとでは、左右方向の幅が全体において同一であった。これに対して、本形態では、図９および図１０に示すように、第２板部２１２ｂの前側において第２空間１２の上方に位置する部分に切欠き２１２ｃが形成されている。このため、第２板部２１２ｂのうち、第１空間１１の上方に位置する部分は、第１板部２１２ａと左右方向の幅が同一であるが、第２板部２１２ｂのうち、第２空間１２の上方に位置する部分は、第１板部２１２ａより左右方向の幅が狭くなっている。
【００４３】
このように構成した場合も、ケース２の内部に水が侵入した場合でも、水が第１空間１１に落下しにくい。また、第２空間１２の上方に位置する部分に切欠き２１２ｃを設けたため、スイッチ部材８の軸部８６の上面を、第２空間１２の上方では、切欠き２１２ｃに向けて屈曲させることができる。従って、軸部８６の下面が第２空間１２の上方で屈曲している場合でも、軸部８６の上下方向Ｚの寸法を軸部８６延在方向において一定にできるので、軸部８６の強度を高めることができる。
【００４４】
［他の実施の形態］
上記実施の形態では、第１壁部２１２（防水壁２４）の上面が水平であったが、第１壁部２１２（防水壁２４）の上面が、第２空間１２とは反対側（後板部２１７の側）から第２空間１２の側に向けて斜め下方に傾斜している態様を採用してもよい。かかる態様によれば、ケース２内に侵入した水が第１壁部２１２（防水壁２４）の上面を伝って第２空間１２の側に移動しやすい。従って、第１空間１１に水が落下しにくいので、ケース２内に侵入した水を原因とする電気的な不具合が発生しにくい。
【００４５】
また、ケース２には、第２空間１２の下方に水抜き用の穴が設けられている態様を採用してもよい。かかる態様によれば、第２空間１２に落下した水を水抜き用の穴から排出することができるので、伝達機構５では、ケース２内に侵入した水を原因とする不具合が発生しにくい。
【００４６】
上記実施の形態では、第１空間１１を後側Ｙ１とし、第２空間１２を前側Ｙ２としたが、第１空間１１を前側Ｙ２とし、第２空間１２を後側Ｙ１としてもよい。
【００４７】
上記実施の形態では、仕切り壁２３によって第１空間１１と第２空間１２とを前後方向に仕切ったが、駆動装置１全体の形状等によっては、仕切り壁２３によって第１空間１１と第２空間１２とを左右方向に仕切ってもよい。
【００４８】
上記実施の形態では、引き出し１４０、１５０を開くための駆動装置１に本発明を適用したが、冷蔵庫の扉１３０を開くための駆動装置に本発明を適用してもよい。また、冷蔵庫以外の機器で用いられる駆動装置１に本発明を適用してもよい。
【符号の説明】
【００４９】
１…駆動装置、２…ケース、４…電気部、５…伝達機構、６…出力部材、７…基板、８…スイッチ部材、１１…第１空間、１２…第２空間、２１…第１ケース部材、２２…第２ケース部材、２３…仕切り壁、２４…防水壁、２５…境目、２６…前面部、２７…後面部、２８…上面部、２９…下面部、４０…モータ、６０…軸状部、６１…前端部、６５…ラック、７０…タクトスイッチ、８６…軸部、８７…板状部、１００…冷蔵庫、１１０…筐体、１２０…冷蔵室、１３０…扉、１４０、１５０…引き出し、２１２…第１壁部、２１２ａ…第１板部、２１２ｂ…第２板部、２２２…第２壁部、２４０…板状部、Ｘ…左右方向、Ｙ…前後方向、Ｚ…上下方向
【図１】
2018025339.tif 000003
【図２】
2018025339.tif 000004
【図３】
2018025339.tif 000005
【図４】
2018025339.tif 000006
【図５】
2018025339.tif 000007
【図６】
2018025339.tif 000008
【図７】
2018025339.tif 000009
【図８】
2018025339.tif 000010
【図９】
2018025339.tif 000011
【図１０】
2018025339.tif 000012